(57)【要約】【課題】術者の手がハンドピースのヘッド部に当たるような危険がなく、しかも、インスツルメントを引き出す時の持ち方（握り方）のままで治療が行なえ、または治療を行なっているときの持ち方（握り方）のままで戻すことができるようにする。【解決手段】インスツルメント（ハンドピース）８は、インスツルメントホルダ１２に着脱自在に装着されるようになっている。ハンドピース８のヘッド部８ａはワークテーブル２の方を向いており、インスツルメント８を取り出し時、或いは、収納時に、それ自身或いは他のインスツルメントのヘッド部に術者の手が当たるようなことがなく、術者が怪我するようなことはない。また、いきなり、治療作業時の握り方でインスツルメントを取り上げることができ、操作性が非常に良い。【選択図】図１
2004275790.tif 000002
【特許請求の範囲】
【請求項１】
歯科治療用インスツルメントのハンドピース部を着脱自在に保持するホルダと、該ホルダを着脱自在に取り付け可能な固定プレートと、該固定プレートに配設され、前記ホルダに前記インスツルメントが保持されているか否かを検出するセンサとを有し、前記固定プレートは、前記ホルダを着脱自在に保持する孔を有し、前記ホルダは、下部に前記孔に挿脱自在に装着される脚部を有するとともに、上部に前記ハンドピースを保持する握持部を有し、前記握持部は、ハンドピースが挿通する間隔を隔てて対向する一対の側壁を有する握持部筺体と、前記側壁の一方の内壁側にピン軸を介して回転自在に配設された押え板と、該押え板を水平状態に保持するバネ部材とを有し、該バネ部材のバネ力に抗して前記押え板を前記ハンドピースにて押圧して該ハンドピースを前記一対の側壁間に挿通し、前記バネ部材の戻り力にて前記ハンドピースを前記押え板にて前記側壁の他方の側の内壁に押圧して該ハンドピースを前記握持部に保持するようにしたことを特徴とするインスツルメントホルダ。
【発明の詳細な説明】
【技術分野】
【０００１】
本発明は、歯科治療において用いるエアータービン，マイクロエンジン，シリンジ等の各種歯科治療用インスツルメント（ハンドピース）を保持するインスツルメントホルダに関する。
【背景技術】
【０００２】
図５は、本発明が適用される歯科治療ユニットの一例を示す全体構成図で、図中、１０は歯科治療ユニットで、該ユニット１０は、治療椅子１、ワークテーブル２、スピットン３、給排ボックス４、インスツルメントホルダ５、フットスイッチ６、アシスタントインスツルメントホルダ７等から成り、インスツルメントホルダ５には、歯科治療において使用する種々のインスツルメント（ハンドピース）８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行う。
【発明の開示】
【発明が解決しようとする課題】
【０００３】
上述のごとき歯科治療ユニットにおいて、インスツルメントホルダ５には、周知のように、エアータービン、マイクロエンジン、シリンジ等種々の歯科治療用インスツルメント８が搭載され、必要とされるインスツルメント８が該インスツルメントホルダ５から引き出されて使用されるが、従来のインスツルメントホルダ５は、図６に拡大して概略を示すように、ヘッド部８ａが手前側（ドクター側）になるように、インスツルメント８を収納しており、インスツルメント８をインスツルメントホルダ５から引き出す時に、術者（ドクター）の手がヘッド部８ａに当てて危険であり、また、引き出した後に、持ち換えて（握り換えて）治療しなければならず、同様に、戻す時も握り換えて戻さなければならず、操作が煩わしいという問題があった。
【０００４】
本発明は、上述のごとき実情に鑑みてなされたもので、術者の手がハンドピースのヘッド部に当たるような危険がなく、しかも、インスツルメントを引き出す時の持ち方（握り方）のままで治療が行なえ、又は治療を行っている時の持ち方（握り方）のままで戻すことができるように、インスツルメントを保持することのできるインスツルメントホルダを提供することを目的としてなされたものである。
【課題を解決するための手段】
【０００５】
本発明は、歯科治療用インスツルメントのハンドピース部を着脱自在に保持するホルダと、該ホルダを着脱自在に取り付け可能な固定プレートと、該固定プレートに配設され、前記ホルダに前記インスツルメントが保持されているか否かを検出するセンサとを有し、前記固定プレートは、前記ホルダを着脱自在に保持する孔を有し、前記ホルダは、下部に前記孔に挿脱自在に装着される脚部を有するとともに、上部に前記ハンドピースを保持する握持部を有し、前記握持部は、ハンドピースが挿通する間隔を隔てて対向する一対の側壁を有する握持部筺体と、前記側壁の一方の内壁側にピン軸を介して回転自在に配設された押え板と、該押え板を水平状態に保持するバネ部材とを有し、該バネ部材のバネ力に抗して前記押え板を前記ハンドピースにて押圧して該ハンドピースを前記一対の側壁間に挿通し、前記バネ部材の戻り力にて前記ハンドピースを前記押え板にて前記側壁の他方の側の内壁に押圧して該ハンドピースを前記握持部に保持するようにしたことを特徴としたものである。
【発明の効果】
【０００６】
本発明によると、インスツルメント（ハンドピース）を使用する時の握り方又は使用している時の握り方で、インスツルメントをインスツルメントホルダから取り出し、或いは、インスツルメントホルダに収納することができる。
また、インスツルメントのヘッド部が術者（ドクター）側を向いていないので、術者が誤って手先等を触れることがなく、安全である。
更には、インスツルメントのヘッド部をインスツルメントホルダの内部に収納することで、更に、安全性を向上させることができる。
【発明を実施するための最良の形態】
【０００７】
図１は、本発明によるインスツルメントホルダの一実施形態を説明するための要部概略構成図で、図１（Ａ）は斜視図、図１（Ｂ）は側面図を示し、図中、２はワークテーブル、８はインスツルメント、１１はインスツルメントホルダ固定板、１２はインスツルメントホルダで、インスツルメントホルダ固定板１１は、図６に示したインスツルメントホルダ５と同様、連結アーム１３を介してワークテーブル２に回動自在に取り付けられている。
【０００８】
而して、本発明においては、図１に示したように、インスツルメント（ハンドピース）８は、そのヘッド部８ａがワークテーブル２の方を向いており（術者から離れた側を向いており）、インスツルメント８を取り出す時、或いは、収納する時に、それ自身或いは他のインスツルメントのヘッド部に術者の手が当たるようなことがなく、従って、術者が怪我するようなことはなく、また、いきなり、治療作業時の握り方でインスツルメントを取り上げることができ、また、治療作業時の握り方で元に戻すことができ、操作性が非常に良い。
【０００９】
図２は、本発明によるインスツルメントホルダの一使用状態を説明するための要部拡大構成図で、図示のように、インスツルメントホルダ固定板１１には、インスツルメントホルダ１２を挿脱自在に装着するための孔１１ａと光センサ１４を配設するための凹部１１ｂが設けられており、該光センサ１４によって、インスツルメント８が使用中であることを検知し、周知ように、取り出された（使用中の）インスツルメントに関する動力源等を選択し、該インスツルメントを使用可能状態にする。なお、図示例の場合においては、光センサ１４を用いてインスツルメント８の有無を検知するようにしているが、光センサに限ることなく、必要に応じて任意所望のセンサを用いることができる。
【００１０】
図３（Ａ）及び図３（Ｂ）は、それぞれ前記インスツルメントホルダ１２の具体例を示す図で、これらインスツルメントホルダ１２は、下部にインスツルメントホルダ固定板１１に設けられた孔１１ａに着脱自在に挿入される脚部１２ａを有し、上部にハンドピース８を保持する握持部１２ｂを有し、該インスツルメントホルダ固定板１１より時々取り外してオートクレーブ等の殺菌を行うことができるようになっている（勿論、材料としては、オートクレーブ可能な材料を用いる）。
【００１１】
図３（Ａ）に示した例は、上部握持部１２ｂが、前記脚部１２ａと一体の固定握持部材１２ｂ1と、該固定握持部材１２ｂ1に対向して配設され、かつ、ピン軸１２ｃまわりに回動自在の回動握持部材１２ｂ2よりなり、該回動握持部材１２ｂ2はバネ部材１２ｄにより、前記固定握持部材１２ｂ1側に押されている。握持部材１２ｂ1，１２ｂ2はそれぞれ対向する側が図示のように凹部に形成され、インスツルメント８が上部より（矢印方向に）挿入されると、回動握持部材１２ｂ2がバネ部材１２ｄを押圧して開き、該インスツルメント８を固定側握持部材１２ｂ1と回動側握持部材１２ｂ2との間に挿入され、挿入された後は、バネ部材１２ｄにより回動握持部材１２ｂ2が元の状態に戻るよう押され、このバネ部材１２ｄの押圧力によって、ハンドピース８を握持部１２ｂに保持（固定握持部材１２ｂ1と回動握持部材１２ｂ2の間に挟持）することができる。なお、インスツルメント８を取り出す時は、インスツルメント（ハンドピース）８を上方に持ち上げると、握持部材１２ｂ1、１２ｂ2間がバネ部材１２ｄの押圧力に抗して開き、インスツルメント８を取り出すことができる。この時、インスツルメントホルダ１２が一緒に持ち上がってしまわないようにするため、インスツルメントホルダ１２の脚部１２ａは周知の方法で固定板１１に着脱自在にロックされるように取り付けられている。
【００１２】
図３（Ｂ）は、インスツルメントホルダ１２のインスツルメント握持部材１２ｂ1，１２ｂ2を弾性部材で構成し、この弾性力に抗してインスツルメント８を上部より（矢印方向に）挿入し、挿入後は、これら握持部材１２ｂ1，１２ｂ2の弾性力により、握持，保持し、取り出す時は、弾性力に抗してインスツルメントを上方に持ち上げることで、取り出すようにしたものである。この例によると、図３（Ａ）の例に比し、ピン１２ｃやバネ部材１２ｄを使用することなく、また、両握持部材１２ｂ1，１２ｂ2が一体形成されているので、構造が簡単で、かつ、安価に製作できる。
【００１３】
図４は、本発明によるインスツルメントホルダ１２の一実施例を説明するための図で、図４（Ａ）は分解斜視図、図中、１２1はインスツルメントホルダ本体（筺体）、１２2は該インスツルメントホルダ本体１２1をインスツルメントホルダ固定板１１に着脱自在に装着するための脚部、１２3はホルダ本体１２1に回転自在に取り付けられる押え板、１２4は前記押え板１２3を回転自在に取り付けるためのピン、１２5は前記押え板１２3をホルダ本体１２1に回転自在に取り付けるための突起片で、該突起片１２5及び前記押え板１２3には、前記ピン１２4が挿通される孔が設けられており、該孔を通してピン１２4が挿通され、これによって、押え板１２3がピン１２4のまわりに回動自在に装着される。１２6はバネで、該バネ１２6は、例えば、押え板１２3に設けられた切り欠き部１２31に配設され、該バネ１２6にて、押え板１２3を、図４（Ｂ）に示す状態、すなわち、押え板１２33がホルダ本体１２1の上部の開口１２11を閉塞する状態に保持している。
【００１４】
ホルダ本体１２1には、ハンドピース８が挿入される切り欠き１２12が設けられており、図４（Ｂ）に示すように、ハンドピース８をバネ１２6のバネ力に抗して押え板一方の片１２33の上から押し込むと、押え板１２3はピン１２4を中心に回転し、ハンドピース８は、図４（Ｃ）に示すように、ホルダ本体１２1の切り欠き部１２12内に収納される。この時、押え板１２3は、バネ１２6のバネ力により元の状態に戻ろうとするが、ハンドピース８が切り欠き穴１２12の側壁１２13に当り、バネ１２6による矢印方向への力により、該ハンドピース８は、図４（Ｃ）に示すように、ホルダ本体１２1内に収納される。ハンドピース８を取り出す時は、該ハンドピース８を持って上方に上げると簡単に取り出すことができる。
【００１５】
図４（Ｄ）は、図４（Ａ）に示したホルダ本体１２1に、インスツルメントを収納した時の側面概略構成図で、インスツルメント８はホルダ１２1の前面壁の上端面１２14によって支持されるが、この時、ハンドピース８の自重により、該ハンドピース８は、前記上端面１２14を支点としてヘッド部８ａが上方に持ち上がろうとして、押え板１２3の一方の片１２32を押し上げようとし、該片１２32がピン１２4を中心に回転しようとするが、その時、他方の片１２33も同時に回転しようとし、該片１２33によりハンドピース８を切り欠き穴１２12の側面１２13に押し付け、これによって、ハンドピース８はより確実にホルダ１２1内に保持される。
【００１６】
回転押え板１２3について更に詳細に説明すると、この回転押え板１２3は、図４（Ａ）に示したように、直角に交る２片１２32，１２33とから成り、一方の片１２33に切り欠き部１２34を有し、この切り欠き部１２34を通してハンドピース８のヘッド部８ａがホルダ１２1内に収納されるようになっている。すなわち、回転押え板１２3はハンドピース８が収納されていない時は、図４（Ｂ）に示すように、片１２33がホルダ１２1の開口１２11を塞いでいるが、この時、ハンドピース８にて該回転押え板の片１２33を押し下げようとすると、ハンドピース８のヘッド部８ａが該片１２33に当り、該ヘッド部８ａに装着されている切削バー等を破損するおそれがある。切り欠き部１２34は、上述のごときヘッド部８ａの破損を防止するためのもので、上述のようにして、ハンドピース８の先端部を回転押え板１２3の片１２33上に置いた時に、ヘッド部８ａが該切り欠き部１２34に入り、該ヘッド部８ａを破損しないようにしている。
【図面の簡単な説明】
【００１７】
【図１】本発明によるインスツルメントホルダの概要を説明するための要部概略構成図である。
【図２】本発明によるインスツルメントホルダの一使用状態を示す要部概略構成図である。
【図３】本出願人が別途提案したインスツルメントホルダの一例を説明するための図である。
【図４】本発明によるインスツルメントホルダの一実施例を説明するための図である。
【図５】本発明が適用される歯科治療ユニットの要部構成図である。
【図６】従来のインスツルメントホルダの例を説明するための図である。
【符号の説明】
【００１８】
８…インスツルメント（ハンドピース）、１１…インスツルメントホルダ固定板、１２…インスツルメントホルダ、１４…センサ。
【図１】
2004275790.tif 000003
【図２】
2004275790.tif 000004
【図３】
2004275790.tif 000005
【図４】
2004275790.tif 000006
【図５】
2004275790.tif 000007
【図６】
2004275790.tif 000008